(57)【要約】【課題】転写紙の歪み収縮等による表面／裏面の画像歪みを補正して、表面／裏面に形成される画像の位置精度を向上させる。【解決手段】画像形成装置１は、転写紙の表面／裏面及び紙種に応じて、主走査傾き及び副走査傾きの調整データを操作表示部１２から入力させて、入力された調整データを調整ファイル１１ｆに設定する。そして、画像形成を行う際に、転写紙の表面／裏面及び紙種に応じて調整ファイル１１ｆから調整データを取得し、調整データに基づいて、画像データに回転処理を施して画像歪みの補正を行い、転写紙に画像形成を行わせる。【選択図】図１
2005186337.tif 000002
【特許請求の範囲】
【請求項１】
画像データに基づいて転写紙の両面に画像を形成する画像形成部を備える画像形成装置であって、
画像データの主走査方向及び副走査方向の傾き量を変えることにより画像データの歪みを補正する処理を行う画像処理部と、
前記転写紙の表面及び裏面に応じて前記主走査方向及び副走査方向の傾き量を設定して前記画像処理部に画像データの歪みを補正する処理を行わせる制御部と、
を備えることを特徴とする画像形成装置。
【請求項２】
前記制御部は、前記転写紙の表面及び裏面を独立して、主走査方向及び副走査方向の傾き量を設定することを特徴とする請求項１記載の画像形成装置。
【請求項３】
前記制御部は、前記転写紙の紙種の特性を示す指標に応じて、前記主走査方向及び副走査方向の傾き量を設定することを特徴とする請求項１又は２記載の画像形成装置。
【請求項４】
前記紙種の特性を示す指標は、転写紙の材質、坪量、製造方法、銘柄、サイズ、スキ方向、表面粗さのうち少なくとも一以上を含む紙種の特性を示す指標又はこれらを組み合わせた紙種の特性を示す指標であることを特徴とする請求項３記載の画像形成装置。
【請求項５】
前記制御部は、ＪＯＢモードに応じて、前記画像処理部に画像データの歪みを補正する処理を禁止させることを特徴とする請求項１から４の何れか一項に記載の画像形成装置。
【発明の詳細な説明】
【技術分野】
【０００１】
本発明は、転写紙の両面に画像を形成する画像形成装置に関する。
【背景技術】
【０００２】
従来、電子写真方式を利用した画像形成装置においては、転写紙上に転写された未定着トナー像を加熱、融溶させて定着する技術（加熱定着法）が知られている。加熱定着法としては面状ヒータ方式、赤外線ランプ方式、そして現在もっとも普及している定着ローラ方式などが知られている。
【０００３】
加熱定着法を採用してトナー像を定着させる画像形成装置では、転写紙に含まれていた水分が熱により蒸発するため、定着後は転写紙が収縮する。この収縮の割合（収縮率）は、転写紙の種類、厚さなどにより異なる。一度、加熱定着により収縮した転写紙が空気中の水分を吸収して元のサイズに戻るには、１５〜２０分程度かかることが経験的に知られいる。
【０００４】
ところで、一般に転写紙の両面に画像を形成する場合には、転写紙の片面（表面）にトナー像を転写、加熱定着させた後、転写紙の他面（裏面）にトナー像を転写し、再度加熱定着させている。従って、裏面へトナー像を転写する際には、転写紙が収縮したまま転写されており、転写紙が元のサイズに戻ると表面と裏面の画像サイズが異なってしまうという問題があった。そこで、表面と裏面の画像サイズ及び画像形成位置を合わせるため、表面／裏面に応じて画像の倍率補正を行う技術が知られている。また、転写紙の両面への転写を同時に行うことにより、転写紙の表裏面に形成される画像の位置及び倍率を相互に一致させることが可能な画像形成装置が知られている（例えば、特許文献１参照）。
【特許文献１】特開平１１−１４３３３３号公報
【発明の開示】
【発明が解決しようとする課題】
【０００５】
しかしながら、定着ユニットを通過した後の転写紙は全面が一律に収縮するのではなく、転写紙の定着ユニットへの入り方によっては、定着ローラのクラウン状態の影響を受け、転写紙自体が歪んで収縮する場合がある。このような場合、一律に画像の倍率補正や画像形成位置を補正するだけでは、表面画像と裏面画像の位置を精度良く補正することができないという問題があった。
【０００６】
また、転写紙に形成される画像が歪む要因としては、スキャナ部における光学ランプの取り付け誤差等により読取画像に歪みを生じる場合がある。このような場合、転写紙の収縮と併せて、転写紙の表面及び裏面に応じて異なる歪み補正をする必要があり、表面及び裏面を一律に補正するだけでは、精度良く画像の歪みを補正できないという問題があった。
【０００７】
本発明の課題は、転写紙の歪み収縮等による表面／裏面の画像歪みを補正して、表面／裏面に形成される画像の位置精度を向上させる画像形成装置を提供することである。
【課題を解決するための手段】
【０００８】
上記課題を解決するために、請求項１記載の発明は、
画像データに基づいて転写紙の両面に画像を形成する画像形成部を備える画像形成装置であって、
画像データの主走査方向及び副走査方向の傾き量を変えることにより画像データの歪みを補正する処理を行う画像処理部と、
前記転写紙の表面及び裏面に応じて前記主走査方向及び副走査方向の傾き量を設定して前記画像処理部に画像データの歪みを補正する処理を行わせる制御部と、
を備えることを特徴としている。
【０００９】
請求項２記載の発明は、請求項１記載の画像形成装置において、
前記制御部は、前記転写紙の表面及び裏面を独立して、主走査方向及び副走査方向の傾き量を設定することを特徴としている。
【００１０】
請求項３記載の発明は、請求項１又は２記載の画像形成装置において、
前記制御部は、前記転写紙の紙種の特性を示す指標に応じて、前記主走査方向及び副走査方向の傾き量を設定することを特徴としている。
【００１１】
請求項４記載の発明は、請求項３記載の画像形成装置において、
前記紙種の特性を示す指標は、転写紙の材質、坪量、製造方法、銘柄、サイズ、スキ方向、表面粗さのうち少なくとも一以上を含む紙種の特性を示す指標又はこれらを組み合わせた紙種の特性を示す指標であることを特徴としている。
【００１２】
請求項５記載の発明は、請求項１から４の何れか一項に記載の画像形成装置において、
前記制御部は、ＪＯＢモードに応じて、前記画像処理部に画像データの歪みを補正する処理を禁止させることを特徴としている。
【発明の効果】
【００１３】
請求項１記載の発明によれば、転写紙の表面及び裏面に応じて画像の主走査方向及び副走査方向の傾き量を変えることにより画像データの歪みを補正して、転写紙の両面に画像形成することができるため、転写紙の表面及び裏面に画像形成される画像の位置精度を向上させることができる。
【００１４】
請求項２記載の発明によれば、前記転写紙の表面及び裏面を独立して、主走査方向及び副走査方向の傾き量を設定することができるため、例えば、転写紙の表面については、スキャナ等の取り付け誤差による読取画像の歪みを補正することができ、転写紙の裏面については、読取画像の歪みと共に転写紙の収縮による歪みの補正をそれぞれ独立して行うことができる。
【００１５】
請求項３又は４記載の発明によれば、詳細な転写紙の紙種の特性を示す指標に応じて主走査方向及び副走査方向の傾き量を設定することができるため、紙種の微差によって生じる転写紙の収縮率に違いによる画像歪みを精度よく補正することができる。
【００１６】
請求項５記載の発明によれば、ＪＯＢモードに応じて、画像データの歪みを補正する処理を禁止させることにより、ユーザの使用態様に応じて最適な歪み補正を行うことができる。
【発明を実施するための最良の形態】
【００１７】
以下、図１〜図１０を参照して本発明の実施の形態を詳細に説明する。ただし、発明の範囲は、図示例に限定されない。
【００１８】
まず、本実施の形態の構成を説明する。
図１は、本実施の形態における画像形成装置１の機能的構成を示すブロック図である。図１に示すように、画像形成装置１は、制御部１１、操作表示部１２、画像処理部１３、読込部１４、書込部１５、エンジン制御部１６、駆動部１７、センサ部１８等から構成されている。なお、書込部１５、エンジン制御部１６、駆動部１７及びセンサ部１８を合わせて画像形成部１９とする。
【００１９】
制御部１１は、図２に示すように、ＣＰＵ（Central Processing Unit）１１ａ、ＲＯＭ（Read Only Memory）１１ｂ、ＲＡＭ（Random AccessMemory）１１ｃ、Ｉ／Ｏ１１ｄ、不揮発メモリ１１ｅ等により構成される。ＣＰＵ１１ａは、ＲＯＭ１１ｂに記憶された各種制御プログラムをＲＡＭ１１ｃの記憶領域に展開し、当該プログラムに基づいて画像形成装置１全体の制御や各部への指示等の各種処理を行う。例えば、ＣＰＵ１１ａは、ＲＯＭ１１ｂから登録処理プログラム、調整データ設定処理プログラム、画像形成処理プログラムを読み出して、後述する登録処理（図５参照）、調整データ設定処理（図６参照）、画像形成処理（図７参照）を実行する。なお、各処理の詳細は後述する。
【００２０】
また、Ｉ／Ｏ１１ｄは、ＣＰＵ１１ａと、操作表示部１２、画像処理部１３、読込部１４、書込部１５等との間でデータの入出力を行うインターフェースである。不揮発メモリ１１ｅは、電気的に書き換え可能なＥＥＰＲＯＭ（Electrically Erasable Programmable Read Only Memory）やＨＤＤ（Hard Disc Drive）から構成され、各種処理プログラム及び処理プログラムで処理されたデータ等を格納している。具体的に、不揮発メモリ１１ｅは、後述する登録処理において登録された主走査方向及び副走査方向の傾き量（以下、「調整データ」と呼ぶ）等を格納する調整ファイル１１ｆを記憶している。
【００２１】
図４を参照して、不揮発メモリ１１ｅに格納される調整ファイル１１ｆについて説明する。図４は、調整ファイル１１ｆのデータ構成例を示す図である。図３に示すように、調整ファイル１１ｆは、登録名、紙種１（材質）、紙種２（坪量）、紙種３（銘柄）を含む設定条件と、主走査傾き（表面／裏面）、副走査傾き（表面／裏面）を含む調整データとを格納するレコード１１ｇ〜１１ｌにより構成される。
【００２２】
まず、設定条件が格納されるレコード１１ｇ〜１１ｊについて説明する。
登録名のレコード１１ｇには、後述する調整データ設定画面においてユーザから入力される登録名のテキストデータが、例えば、「ファイル１（ＰＰＣ）」として格納されている。紙種１（材質）のレコード１１ｈには、紙種の特性を示す指標のうち材質を示すデータが、例えば、「ＰＰＣ用紙縦目」として格納されている。紙種２（坪量）のレコード１１ｉには、転写紙の面積当たりの重量を示す坪量の数値データが、例えば、「〜60g/m2」として格納されている。紙種３（銘柄）のレコード１１ｊには、転写紙の銘柄（名称）を示すテキストデータが、例えば、「○○紙」として格納されている。
【００２３】
次に調整データが格納されるレコード１１ｆ〜１１ｌについて説明する。なお、調整データは、転写紙の表面／裏面に対応付けてそれぞれ記憶されており、上段が表面に対応するデータであり、下段が裏面に対応するデータである。
主走査傾きのレコード１１ｋには、転写紙の表面／裏面に応じて主走査方向の傾き量を設定するための調整データが、例えば「０．１％，−０．１％」として格納されている。副走査傾きのレコード１１ｌには、転写紙の表面／裏面に応じて副走査方向の傾き量を設定するための調整データが、「０．１％，０．２％」として格納されている。
【００２４】
なお、調整ファイル１１ｆに格納される紙種１〜３は一例であり、その他種々の紙種の特性を示す指標（例えば、サイズ、製造方法、スキ方向、表面粗さ等）が記憶されている構成であってもよい。また、調整ファイル１１ｆにトレイを記憶する構成であってもよく、画像形成時に選択されたトレイに基づいて調整データが取得可能な構成であってもよい。或いは、登録名、トレイ、紙種１〜３の組み合わせに応じて調整データが取得される構成であってもよい。
【００２５】
さらに、調整ファイル１１ｆは、ＪＯＢモードに対応付けて調整データが記憶されていてもよい。例えば、両面印刷を行うＪＯＢモードには、表面／裏面の調整データが対応付けて記憶され、その他のＪＯＢモードには、片面のみの調整データが記憶される構成であっても良い。これにより、選択されたＪＯＢモードに応じて調整ファイル１１ｆから調整データが取得され、ＪＯＢモードの応じた画像形成を行うことができる。また、集約機能を実行するＪＯＢモードには、調整データを用いた歪み補正の処理を禁止する設定とすることが好ましい。
【００２６】
制御部１１は、画像処理部１３を制御して、上述した調整ファイル１１ｆに記憶される調整データに基づいて、画像データに主走査方向及び副走査方向に独立した回転処理を実行させる。すなわち、図５（ａ）に示すように、定着ローラにより歪み収縮した転写紙の戻り分を踏まえて、画像データに歪み補正の処理を施すことにより、図５（ｂ）に示すように、吸湿後転写紙が元に戻った場合の画像データの歪みを防ぐことができる。
【００２７】
操作表示部１２は、ＬＣＤ（Liquid Crystal Display）により構成され、制御部１１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部１１に出力する。また、操作表示部１２は、数字ボタン、スタートボタン等の各種操作ボタンを備え、ボタン操作による操作信号を制御部１１に出力する。なお、操作表示部１２は、操作部と表示部とが別体として構成されていてもよい。
【００２８】
画像処理部１３は、制御部１１からの指示に従って、読込部１４での読み取りにより得られた画像信号に対し、所定の画像処理を施す。図３を参照して、画像処理部１３について詳細に説明する。図３は、画像処理部１３の要部構成を示すブロック図である。図３に示すように、画像処理部１３は、Ａ／Ｄ変換部１３ａ、輝度濃度変換部１３ｂ、回転処理・誤差拡散処理部１３ｃ、圧縮部１３ｄ、画像メモリ１３ｅ、伸長部１３ｆ等を備えて構成される。
【００２９】
Ａ／Ｄ変換部１３ａは、読込部１４から入力されたアナログ画像信号をデジタル画像信号に変換して、輝度濃度変換部１３ｂに出力する。輝度濃度変換部１３ｂは、入力された画像信号に輝度変換処理及び濃度変換処理を施して、回転処理・誤差拡散処理部１３ｃに画像データを出力する。
【００３０】
回転処理・誤差拡散処理部１３ｃは、入力された画像データに回転処理及び誤差拡散処理を施して画像の歪みを補正する。具体的に、回転処理・誤差拡散処理部１３ｂは、ＹＭＣＫの画像信号に対して誤差拡散処理を行い、書込部１４の性能に応じた階調数及び解像度の画像を出力するための画像信号を生成する。また、制御部１１の制御により、主走査方向及び副走査方向に対する傾き量（調整データ）に基づいて、画像歪みを補正するための回転処理を画像信号に施す。この回転処理は、主走査方向及び副走査方向に対してそれぞれ独立して行われるものであり、これにより主走査方向及び副走査方向に対して不均一な歪みを適性に補正することができる。
【００３１】
圧縮処理部１３ｄは、回転処理・誤差拡散処理部１３ｃから入力された画像信号を圧縮して、画像メモリ１３ｅに出力する。画像メモリ１３ｅは、不揮発メモリ等により構成され、圧縮処理部１３ｄにて圧縮された画像信号を所定領域に保存する。また、制御部１１の制御により、圧縮された画像信号を読み出して、伸長処理部１３ｆに出力する。伸長処理部１３は、圧縮された画像信号を伸長し、書込部１５に出力する。
【００３２】
図１に戻り、読込部１４は、光源、ミラー群、レンズ、ＣＣＤ（Charge Coupled Device）等により構成される。読込部１４は、制御部１１の制御に応じて光源から原稿へ照明走査した光をミラー群により反射させ、反射光をレンズにより結像してＣＣＤにより光電変換して原稿画像を読み取り、読み取った画像データを画像処理部１３に出力する。
【００３３】
書込部１５は、ＬＤ（Laser Diode）、感光ドラム、複数の紙種毎に転写紙を格納する複数のトレイ、画像形成後の転写紙を排出する排紙部等を備え構成される。書込部１５は、画像信号に基づいてＬＤを駆動制御して、感光ドラム表面に静電潜像を形成する。さらに、感光ドラム表面の静電潜像を含む領域にトナーを付着させ、給紙部から搬送される転写紙にトナーを転写して定着させた後、排出部から排出する。
【００３４】
エンジン制御部１６は、制御部１１の制御に応じて、センサ部１８から入力されるデータに基づいて各駆動部１７を制御する。駆動部１７は、モータ等からなり、エンジン制御部１６の制御に応じて駆動される。センサ部１８は、例えば、温度センサ、バイパスセンサ、通過検知センサ、排紙センサ等により構成され、検出信号をエンジン制御部１６に出力する。
【００３５】
次に、本実施の形態の動作を説明する。
なお、動作説明の前提として、以下のフローチャートに記述されている各処理を実現するためのプログラムは、画像形成装置１のＣＰＵ１１ａが読み取り可能なプログラムコードの形態でＲＯＭ１１ｂに格納されており、ＣＰＵ１１ａは、当該プログラムコードに従った動作を逐次実行する。
【００３６】
図６を参照して、調整ファイル１１ｆに調整データの登録を行う登録処理について説明する。図６は、画像形成装置１のＣＰＵ１１ａにより実行される登録処理を示すフローチャートである。図６に示すように、ＣＰＵ１１ａは、操作表示部１２を介して、ユーザから調整データの設定指示が入力されたか否かを判別し（ステップＳ１）、調整データの設定指示が入力された場合（ステップＳ１；ＹＥＳ）、調整モードを設定し、操作表示部１２に調整データ設定画面（図９参照）を表示させる（ステップＳ２）。ここで、図９を参照して、調整データ設定画面について説明する。
【００３７】
図９は、調整データ設定画面１２１の一例を示す図である。図９に示すように、調整画面１２１には、登録名を入力する項目１２１ａ、表面の調整データを入力する領域１２１ｂ、裏面の調整データを入力する領域１２１ｃ、確定の指示を入力する確定ボタン１２１ｄ、登録の指示を入力する登録ボタン１２１ｅが設けられている。また、領域１２１ｂには、主走査傾きの調整データを表示する領域１２１ｆ、主走査傾きの調整データを入力するボタン１２１ｇ、副走査傾きの調整データを表示する領域１２１ｈ、副走査傾きの調整データを入力するボタン１２１ｉが設けられている。
【００３８】
調整設定画面１２１において、領域１２１ｂに設けられる各ボタン１２１ｇ，１２１ｉが指示されることにより、転写紙の表面における各調整データが入力され、対応する表示領域１２１ｆ，１２１ｈに調整データが表示される。また、領域１２１ｃにも、領域１２１ｂと同様に、各調整データの表示領域及び入力ボタンが設けられ、対応するボタンが指示されることにより、転写紙の裏面における各調整データが入力され、対応する表示領域に設定値が表示される。また、確定ボタン１２１ｄが指示されると、後述する設定条件入力画面が表示される。さらに、登録ボタン１２１ｅが指示されると、入力された各調整データが調整ファイル１１ｆに格納されて登録が行われる。
【００３９】
図６に戻り、ＣＰＵ１１ａは、操作表示部１２に表示させた調整データ設定画面１２１において、調整データの設定を行う調整データ設定処理を実行する（ステップＳ３）。図７を参照して、調整データ設定処理について説明する。図７は、登録処理の一部として実行される調整データ設定処理を示すフローチャートである。
【００４０】
図７に示すように、ＣＰＵ１１ａは、上述した調整データ設定画面１２１において、登録名を入力する項目が選択された場合（ステップＳ１１；ＹＥＳ）、登録名を入力させる（ステップＳ１２）。次いで、表面が選択され（ステップＳ１３；ＹＥＳ）、主走査傾きの項目が選択されると（ステップＳ１４；ＹＥＳ）、主走査傾きの調整データを入力させ（ステップＳ１５）、副走査傾きの項目が選択されると（ステップＳ１６；ＹＥＳ）、副走査傾きの調整データを入力させる（ステップＳ１７）。
【００４１】
続いて、裏面が選択された場合（ステップＳ１８；ＹＥＳ）、上述したステップＳ１４〜Ｓ１７の処理を繰り返して実行し、裏面の主走査傾き、副走査傾きの各調整データを入力させる。続いて、調整データ設定画面１２１において、確定ボタンが指示されたか否かを判別し（ステップＳ１９）、確定ボタンが指示された場合（ステップＳ１９；ＹＥＳ）、設定条件入力画面（図１０参照）を表示させる（ステップＳ２０）。ここで、図１０を参照して、設定条件入力画面について説明する。
【００４２】
図１０は、設定条件入力画面１２２の一例を示す図である。図１０に示すように、設定条件入力画面１２２には、登録名を表示する領域１２２ａ、材質を選択する項目１２２ｂ、坪量を選択する項目１２２ｃ、銘柄（名称）を選択する項目１２２ｄ、確定の指示を入力するボタン１２２ｅが設けられている。
【００４３】
領域１２２ａには、調整データ入力画面１２１において、入力された登録名が表示される。項目１２２ｂには、第１の紙種の特性を示す指標として、材質の種類が一覧表示されている。項目１２２ｃには、第２の紙種の特性を示す指標として、所定範囲に区分された坪量が一覧表示されている。項目１２２ｄには、第３の紙種の特性を示す指標として、転写紙の銘柄が一覧表示されている。各項目１２２ｂ〜１２２ｄにおいて、材料、坪量、銘柄が選択され、確定ボタン１２２ｅが押下されると、設定条件が確定される。
【００４４】
図７に戻り、ＣＰＵ１１ａは、操作表示部１２に表示させた設定条件入力画面１２２において設定条件が入力されると、入力された設定条件を取得する（ステップＳ２１）。そして、設定条件入力画面１２２において、確定ボタンが指示されたか否かを判別し（ステップＳ２２）、確定ボタンが指示された場合（ステップＳ２２；ＹＥＳ）、設定条件入力画面１２２を閉じて調整データ設定画面１２１に戻り、調整データ設定画面１２１において、登録ボタン１２１ｅが指示されたか否かを判別する（ステップＳ２３）。そして、登録ボタンが指示された場合（ステップＳ２３；ＹＥＳ）、本調整データ設定処理を終了して、登録処理に移行する。
【００４５】
続いて、図６に戻り、ＣＰＵ１１ａは、調整データの設定を終了する指示がされた場合（ステップＳ４；ＹＥＳ）、調整データ及び設定条件を調整ファイル１１ｆの所定のレコードに格納させる（ステップＳ５）。次いで、登録を終了するか否かを判別し（ステップＳ６）、登録を継続して行う指示が入力された場合（ステップＳ６；ＮＯ）、ステップＳ２に移行して上述した処理を繰り返して実行する。一方、登録を終了する指示が入力された場合（ステップＳ６；ＹＥＳ）、本登録処理を終了する。なお、ステップＳ４において、調整データ設定処理が正しく終了されず、エラー等が発生した場合（ステップＳ４；ＮＯ）、調整データ設定処理で設定されたデータによる調整ファイル１１ｆの書き換えを行わずに本登録処理を終了する。
【００４６】
次に、図８を参照して、調整ファイルに記憶された調整データに基づいて画像データに画像処理を施し、画像形成を行う画像形成処理について説明する。図８は、ＣＰＵ１１ａにより実行される画像形成処理を示すフローチャートである。図８に示すように、ユーザにより操作表示部１２を介して、画像形成指示が入力されると（ステップＳ３１；ＹＥＳ）、ＣＰＵ１１ａは、ＪＯＢモードとして集約機能が設定されているか否かを判別する（ステップＳ３２）。ここで、集約機能とは、例えば、１ページ分の画像データを縮小して、転写紙の片面に複数ページ分の画像データを印刷する機能等を指す。
【００４７】
集約機能が設定されていない場合（ステップＳ３２；ＮＯ）、ＣＰＵ１１ａは、転写紙の表面原稿であるか否かを判別し（ステップＳ３３）、表面原稿である場合（ステップＳ３３；ＹＥＳ）、調整ファイル１１ｆから表面の調整データを取得する（ステップＳ３４）。一方、転写紙の裏面原稿である場合（ステップＳ３３；ＮＯ）、ＣＰＵ１１ａは、調整ファイル１１ｆから裏面の調整データを取得する（ステップＳ３５）。
【００４８】
次いで、ＣＰＵ１１ａは、読込部１４から読み込まれた画像データを取得し（ステップＳ３６）、画像処理部１３を制御して、調整データに基づいて画像歪みを補正する画像処理を施す（ステップＳ３７）。続いて、ＣＰＵ１１ａは、書込部１５を制御して、転写紙に画像形成を行わせ（ステップＳ３８）、次に画像形成すべき画像データがあるか否かを判別する（ステップＳ３９）。次の画像データがある場合（ステップＳ３９；ＹＥＳ）、ＣＰＵ１１ａは、ステップＳ３２に移行して、上述した処理を繰り返して実行する。一方、次の画像データがない場合（ステップＳ３９；ＮＯ）、ＣＰＵ１１ａは、本画像形成処理を終了する。
【００４９】
なお、ステップＳ３２において、集約機能の設定が行われていた場合（ステップＳ３２；ＹＥＳ）、ＣＰＵ１１ａは、調整データを取得せずに画像データの読み込みを行う（ステップＳ３６）。次いで、ＣＰＵ１１ａは、画像歪みを補正する処理を禁止して通常の画像処理を画像データに施し（ステップＳ３７）、書込部１５に画像データに基づく画像形成を行わせる（ステップＳ３８）。
【００５０】
以上のように、本実施の形態の画像形成装置１によれば、転写紙の表面／裏面及び紙種の特性を示す指標に応じて、主走査傾き及び副走査傾きの調整データを操作表示部１２から入力させて、入力された調整データを調整ファイル１１ｆに設定する。そして、画像形成を行う際に、転写紙の表面／裏面及び紙種に応じて調整ファイル１１ｆから調整データを取得し、調整データに基づいて、画像データに回転処理を施して画像歪みの補正を行い、転写紙に画像形成を行わせる。
【００５１】
従って、転写紙の歪み又は収縮率が異なる場合に、転写紙の表面／裏面及び紙種の特性を示す指標に応じて設定された調整データに基づいて、画像データの主走査方向及び副走査方向を独立して画像歪みを補正することができるため、転写紙の表面／裏面に画像形成される画像データの位置精度を向上させることができる。
【００５２】
また、表面／裏面について独立して歪みに対する補正を行うことができるため、例えば、表面については、読取部１４における光学ランプの取り付け誤差等による読取画像の歪みを補正し、裏面については、読取画像の歪みを補正すると共に、転写紙の収縮による歪みを補正することができる。
【００５３】
また、裏面における画像の歪みは、転写紙の紙種に応じて補正する必要があるため、調整データを紙種の特性を示す指標に応じて調整ファイル１１ｆに記憶させることにより、種々の紙種に応じて最適な歪み補正を行うことができる。
【００５４】
例えば、複数の紙種の特性を示す指標（例えば、材質、坪量、銘柄、製造方法、サイズ、スキ方向、表面粗さ等）に応じて、調整データを設定することができるため、詳細な転写紙の性質に応じて調整データを設定できる。これにより、紙種の微差によって生じる転写紙の収縮率に違いによる位置ズレ等を精度よく補正することができる。
【００５５】
また、ユーザにより設定された調整データを複数調整ファイル１１ｆに記憶させ、転写紙の表面／裏面及び紙種の特性を示す指標等に基づいて、適宜最適な調整データを取得して、画像形成を行うことができるため、画像形成毎に調整データを設定する必要がなく、容易に最適な調整データに基づいて画像形成を行うことができる。
【００５６】
さらに、ＪＯＢモードとして集約機能が設定されている場合には、一面に複数の読込画像を画像形成する場合が生じるため、調整データに基づいた歪み補正を禁止することにより、ユーザの使用態様に応じて最適な補正を行うことができる。
【００５７】
なお、上述した本実施の形態における記述は、本発明に係る好適な画像形成装置の一例であり、これに限定されるものではない。例えば、本実施の形態における紙種の種類は、上述した例に限定されず、ＯＨＰシート、トレーシングペーパ、フィルム等を含む構成であってもよい。その他、本実施の形態における画像形成装置１の構成部分の細部構成、及び細部動作に関しても、本発明の趣旨を逸脱することのない範囲で適宜変更可能である。
【図面の簡単な説明】
【００５８】
【図１】本発明を適用した実施の形態における画像形成装置の機能的構成を示すブロック図である。
【図２】図１に示す制御部１１の要部構成を示すブロック図である。
【図３】図１に示す画像処理部１３の要部構成を示すブロック図である。
【図４】図２に示す調整ファイル１１ｆのデータ構成例を示す図である。
【図５】裏面の画像歪みの補正方法を説明する図である。
【図６】図２に示すＣＰＵ１１により実行される登録処理を示すフローチャートである。
【図７】図３に示す登録処理の一部として実行される調整データ設定処理を示すフローチャートである。
【図８】図２に示すＣＰＵ１１により実行される画像形成処理を示すフローチャートである。
【図９】操作表示部１２に表示される調整データ設定画面１２１の一例を示す図である。
【図１０】操作表示部１２に表示される設定条件入力画面１２２の一例を示す図である。
【符号の説明】
【００５９】
１  画像形成装置
１１    制御部
１１ａ    ＣＰＵ
１１ｂ    ＲＯＭ
１１ｃ    ＲＡＭ
１１ｄ    Ｉ／Ｏ
１１ｅ    不揮発メモリ
１１ｆ    調整ファイル
１２    操作表示部
１３    画像処理部
１３ａ    Ａ／Ｄ変換部
１３ｂ    輝度濃度変換部
１３ｃ    回転処理・誤差拡散処理部
１３ｄ    圧縮部
１３ｅ    画像メモリ
１３ｆ    伸長部
１４    読込部
１５    書込部
１６    エンジン制御部
１７    駆動部
１８    センサ部
１９    画像形成部
【図１】
2005186337.tif 000003
【図２】
2005186337.tif 000004
【図３】
2005186337.tif 000005
【図４】
2005186337.tif 000006
【図５】
2005186337.tif 000007
【図６】
2005186337.tif 000008
【図７】
2005186337.tif 000009
【図８】
2005186337.tif 000010
【図９】
2005186337.tif 000011
【図１０】
2005186337.tif 000012